(57)【特許請求の範囲】
【請求項１】
ビデオ・キャプチャ・ユニットと、第１のカメラ及び暗視機能を有する第２のカメラを有するカメラと、オーディオ処理ユニットと、ピックアップと、オーディオ／ビデオ分析ユニットと、制御ユニットと、スピーカと、臭気センサと、臭気分析ユニットとを備えるインテリジェント監視デバイスであって、
前記ビデオ・キャプチャ・ユニットはリアルタイムで前記カメラを使用してビデオ情報を収集するために使用され、
前記オーディオ処理ユニットはリアルタイムで前記ピックアップを使用してオーディオ情報を収集するために使用され、
前記オーディオ／ビデオ分析ユニットは、リアルタイムで収集される前記ビデオ情報及び前記オーディオ情報について認識分析を実行し、分析結果を前記制御ユニットに送信するために使用され、前記オーディオ／ビデオ分析ユニットは、前記ビデオ情報に従って、現在の環境光強度が第１の光強度閾値より大きいかどうかを特に判断し、
前記臭気分析ユニットは、リアルタイムで前記臭気センサによって収集される臭気情報について検出分析を実行し、分析結果を前記制御ユニットに送信するために使用され、
前記制御ユニットは、前記オーディオ／ビデオ分析ユニットから送信される前記分析結果に従って、対応する閾値より大きい監視値がリアルタイムで収集される前記ビデオ情報又は前記オーディオ情報に存在する場合、前記オーディオ処理ユニットを介して前記スピーカを、警報を発するようにトリガするために使用され、前記制御ユニットは、前記臭気分析ユニットの前記分析結果に従って、煙又は有機揮発性ガスの濃度が対応する濃度閾値より大きい場合、前記オーディオ処理ユニットを介して前記スピーカを、警報を発するようにトリガするために更に使用され、
前記制御ユニットは、前記デバイスが起動されると、前記第１のカメラを介して前記ビデオ情報を収集するように前記ビデオ・キャプチャ・ユニットをトリガし、
前記制御ユニットは、前記オーディオ／ビデオ分析ユニットから送信される前記分析結果に従って、前記現在の環境光強度が前記第１の光強度閾値より大きい場合、前記第１のカメラを介して前記ビデオ情報を収集するように前記ビデオ・キャプチャ・ユニットをトリガし、前記現在の環境光強度が前記第１の光強度閾値より大きくない場合、前記第２のカメラを介して前記ビデオ情報を収集するように前記ビデオ・キャプチャ・ユニットをトリガするために更に使用される、ことを特徴とするデバイス。
【請求項２】
前記デバイスは、通信ユニットを更に備え、
前記制御ユニットは、報告情報を前記通信ユニットに送信するために更に使用され、前記報告情報はリアルタイムで収集される前記ビデオ情報及び前記オーディオ情報と、前記制御ユニットによって受信される前記分析結果とを備え、
前記通信ユニットは前記制御ユニットから送信される前記報告情報を監視センタに送信するために使用される、ことを特徴とする請求項１に記載のデバイス。
【請求項３】
前記デバイスは、位置ユニットを更に備え、
前記位置ユニットは所定の時間間隔で現在の位置情報を前記制御ユニットに送信するために使用され、
前記報告情報は前記位置ユニットによって提供される前記現在の位置情報を更に備える、ことを特徴とする請求項２に記載のデバイス。
【請求項４】
前記制御ユニットは、前記監視センタから送信される遠隔警報情報が前記通信ユニットを介して受信されると、前記オーディオ処理ユニットを介して前記スピーカを、警報を発するようにトリガするために更に使用されることを特徴とする請求項２に記載のデバイス。
【請求項５】
前記制御ユニットは、前記監視センタから送信される音声情報が前記通信ユニットを介して受信されると、前記オーディオ処理ユニットを介して前記スピーカを、前記音声情報を再生するようにトリガするために更に使用されることを特徴とする請求項２に記載のデバイス。
【請求項６】
前記デバイスは、警報ボタンを更に備え、
前記警報ボタンは、トリガされると、警報トリガ情報を前記制御ユニットに送信するために使用され、
前記制御ユニットは、前記警報トリガ情報が検出されると、前記オーディオ処理ユニットを介して前記スピーカを、警報を発するようにトリガするために更に使用される、ことを特徴とする請求項１に記載のデバイス。
【請求項７】
前記デバイスは、警告灯を更に備え、
前記制御ユニットは、前記スピーカが警報を発するように前記オーディオ処理ユニットを介してトリガされると、前記警告灯を点滅するように特にトリガする、ことを特徴とする請求項１〜６の何れか１項に記載のデバイス。
【請求項８】
前記デバイスは、記憶ユニットを更に備え、
前記制御ユニットは、前記スピーカが警報を発するように前記オーディオ処理ユニットを介してトリガされている期間の間に、リアルタイムで前記ビデオ・キャプチャ・ユニットによって収集される前記ビデオ情報を前記記憶ユニットに格納する、ことを特徴とする請求項１〜６の何れか１項に記載のデバイス。
【請求項９】
前記デバイスは、赤外光補足ランプを更に備え、前記制御ユニットは、前記制御ユニットが起動されると、前記赤外光補足ランプをオフにするようにトリガし、
前記オーディオ／ビデオ分析ユニットは、前記ビデオ情報に従って、前記現在の環境光強度が第２の光強度閾値より大きいかどうかを特に判断し、
前記制御ユニットは、前記オーディオ／ビデオ分析ユニットから送信される前記分析結果に従って、前記現在の環境光強度が前記第２の光強度閾値より大きい場合、前記赤外光補足ランプをオフにするようにトリガし、前記現在の環境光強度が前記第２の光強度閾値より大きくない場合、前記カメラに対して光を補足するために前記赤外光補足ランプをオンにするようにトリガするために更に使用される、ことを特徴とする請求項１に記載のデバイス。
【請求項１０】
ビデオ・キャプチャ・ユニットにより、リアルタイムで、第１のカメラと暗視機能を有する第２のカメラとを備えるカメラを使用してビデオ情報を収集することと、
オーディオ処理ユニットにより、リアルタイムでピックアップを使用してオーディオ情報を収集することと、
オーディオ／ビデオ分析ユニットにより、リアルタイムで収集される前記ビデオ情報及び前記オーディオ情報について認識分析を実行すること及び分析結果を制御ユニットに送信することと、
前記オーディオ／ビデオ分析ユニットから送信される前記分析結果に従って、対応する閾値より大きい監視値が、リアルタイムで収集される前記ビデオ情報又は前記オーディオ情報に存在する場合、前記制御ユニットにより、前記オーディオ処理ユニットを介してスピーカを、警報を発するようにトリガすることとを備えるインテリジェント監視方法であって、
前記認識分析は、前記ビデオ情報に従って、現在の環境光強度が第１の光強度閾値より大きいかどうかを判断することを更に備え、
前記方法は
臭気分析ユニットにより、リアルタイムで臭気センサによって収集される臭気情報について検出分析を実行すること及び分析結果を前記制御ユニットに送信することと、
前記臭気分析ユニットの前記分析結果に従って、煙又は有機揮発性ガスの濃度が対応する濃度閾値より大きい場合、前記制御ユニットにより、前記オーディオ処理ユニットを介して前記スピーカを、警報を発するようにトリガすることと、を更に備え、
前記制御ユニットは、デバイスが起動されると、前記第１のカメラを介して前記ビデオ情報を収集するように前記ビデオ・キャプチャ・ユニットをトリガし、
前記制御ユニットは、前記オーディオ／ビデオ分析ユニットから送信される前記分析結果に従って、前記現在の環境光強度が前記第１の光強度閾値より大きい場合、前記第１のカメラを介して前記ビデオ情報を収集するように前記ビデオ・キャプチャ・ユニットをトリガし、前記現在の環境光強度が前記第１の光強度閾値より大きくない場合、前記第２のカメラを介して前記ビデオ情報を収集するように前記ビデオ・キャプチャ・ユニットをトリガするために更に使用される、ことを特徴とする方法。
【請求項１１】
前記制御ユニットにより、リアルタイムで収集される前記ビデオ情報及び前記オーディオ情報と、前記制御ユニットによって受信される前記分析結果とを備える報告情報を、通信ユニットを介して、監視センタに送信することを更に備えることを特徴とする請求項１０に記載の方法。
【請求項１２】
前記報告情報は位置ユニットによって提供される現在の位置情報を更に備えることを特徴とする請求項１１に記載の方法。
【請求項１３】
監視センタから送信される遠隔警報情報が通信ユニットを介して受信されると、前記制御ユニットにより、前記オーディオ処理ユニットを介して前記スピーカを、警報を発するようにトリガすることを更に備えることを特徴とする請求項１０に記載の方法。
【請求項１４】
監視センタから送信される音声情報が通信ユニットを介して受信されると、前記制御ユニットにより、前記オーディオ処理ユニットを介して前記スピーカを、放送するようにトリガすることを更に備えることを特徴とする請求項１０に記載の方法。
【請求項１５】
警報ボタンがトリガされるのが検出されると、前記制御ユニットにより、前記オーディオ処理ユニットを介して前記スピーカを、警報を発するようにトリガすることを更に備えることを特徴とする請求項１０に記載の方法。
【請求項１６】
前記スピーカが警報を発するように前記オーディオ処理ユニットを介してトリガされると、前記制御ユニットにより、警告灯を点滅するようにトリガすることを更に備えることを特徴とする請求項１０〜１５の何れか１項に記載の方法。
【請求項１７】
前記スピーカが警報を発するように前記オーディオ処理ユニットを介してトリガされている期間の間に、前記制御ユニットにより、リアルタイムで前記ビデオ・キャプチャ・ユニットによって収集される前記ビデオ情報を記憶ユニットに格納することを更に備えることを特徴とする請求項１０〜１５の何れか１項に記載の方法。
【請求項１８】
前記認識分析は、前記ビデオ情報に従って、前記現在の環境光強度が第２の光強度閾値より大きいかどうかを判断することを更に備え、
前記オーディオ／ビデオ分析ユニットから送信される前記分析結果に従って、前記制御ユニットは、前記現在の環境光強度が前記第２の光強度閾値より大きい場合、赤外光補足ランプをオフにするように更にトリガし、
前記現在の環境光強度が前記第２の光強度閾値より大きくない場合、前記カメラに対して光を補足するために前記赤外光補足ランプをオンにするようにトリガし、
ここで、前記制御ユニットは、前記デバイスが起動されると、前記赤外光補足ランプをオフにするようにトリガする、を更に備えることを特徴とする請求項１０に記載の方法。
【発明の詳細な説明】
【技術分野】
【０００１】
本発明は、監視の分野、特にインテリジェント監視デバイス及び方法に関する。
【背景技術】
【０００２】
現在、社会的安定の維持及び暴力的なテロリストの攻撃の防止のために必要とされるので、ビデオ監視が様々な公共の場所で広く適用されている。一般に、ビデオ監視は、警備部門が遠隔で現場の状況を認識できるようにするための、人間の目による監視に代わる技術的手段である。ここで、幾つかのフロント・エンド・カメラは、インテリジェント特徴認識及び挙動検出アルゴリズムと統合されており、所定の規則に従って分析して、規制地域に入る、警告ラインを越える、又は群を作る任意の人を識別することができる。従って、監視員に異常事象に注意を払うように促すために、分析結果に基づいて警報を監視センタに発することができる。
【０００３】
しかしながら、少なくとも次の課題が従来技術には存在する。現状のビデオ監視システム又はインテリジェント監視カメラは、ビデオ収集及び分析機能のみを備えるが、悲鳴、油又はガス漏れ、煙の充満のような異常な音又は臭気を見つけることができない。しかしながら、それらは、異常事象の構成要素であり、早期の反応行為が取られない場合、拡散し、公共の安全に影響を及ぼす可能性がある。一方、緊急事態が発生すれば、現場の人は警備部門にビデオ監視システムを介して間に合うように通知することができない。
【発明の概要】
【課題を解決するための手段】
【０００４】
本発明の目的はインテリジェント監視デバイス及び方法を提供することである。現場環境を様々な面からリアルタイムで監視することによって、警備部門が公共の安全を危うくする状況に対処するために早期の処置を効果的に取り、重大な事故の発生を防止することができるように、公共の場所における状況を包括的に監視することは好都合である。
【０００５】
本発明の態様によれば、ビデオ・キャプチャ・ユニットと、第１のカメラ及び暗視機能を有する第２のカメラを有するカメラと、オーディオ処理ユニットと、ピックアップと、オーディオ／ビデオ分析ユニットと、制御ユニットと、スピーカと、臭気センサと、臭気分析ユニットとを備えるインテリジェント監視デバイスであって、
前記ビデオ・キャプチャ・ユニットはリアルタイムで前記カメラを使用してビデオ情報を収集するために使用され、
前記オーディオ処理ユニットはリアルタイムで前記ピックアップを使用してオーディオ情報を収集するために使用され、
前記オーディオ／ビデオ分析ユニットは、リアルタイムで収集される前記ビデオ情報及び前記オーディオ情報について認識分析を実行し、分析結果を前記制御ユニットに送信するために使用され、前記オーディオ／ビデオ分析ユニットは、前記ビデオ情報に従って、現在の環境光強度が所定の光強度閾値より大きいかどうかを特に判断し、
前記臭気分析ユニットは、リアルタイムで前記臭気センサによって収集される臭気情報について検出分析を実行し、分析結果を前記制御ユニットに送信するために使用され、
前記制御ユニットは、前記オーディオ／ビデオ分析ユニットから送信される前記分析結果に従って、対応する閾値より大きい監視値がリアルタイムで収集される前記ビデオ情報又は前記オーディオ情報に存在する場合、前記オーディオ処理ユニットを介して前記スピーカを、警報を発するようにトリガするために使用され、前記制御ユニットは、前記臭気分析ユニットの前記分析結果に従って、煙又は有機揮発性ガスの濃度が対応する濃度閾値より大きい場合、前記オーディオ処理ユニットを介して前記スピーカを、警報を発するようにトリガするために更に使用され、
前記制御ユニットは、前記デバイスが起動されると、前記第１のカメラを介して前記ビデオ情報を収集するように前記ビデオ・キャプチャ・ユニットをトリガし、
前記制御ユニットは、前記オーディオ／ビデオ分析ユニットから送信される前記分析結果に従って、前記現在の環境光強度が前記所定の光強度閾値より大きい場合、前記第１のカメラを介して前記ビデオ情報を収集するように前記ビデオ・キャプチャ・ユニットをトリガし、前記現在の環境光強度が前記所定の光強度閾値より大きくない場合、前記第２のカメラを介して前記ビデオ情報を収集するように前記ビデオ・キャプチャ・ユニットをトリガするために更に使用される、デバイスが提供される。
【０００６】
実施形態では、デバイスは臭気センサと臭気分析ユニットとを更に備え、
臭気分析ユニットは、リアルタイムで臭気センサによって収集される臭気情報について検出分析を実行し、その分析結果を制御ユニットに送信するために使用され、
制御ユニットは、臭気分析ユニットの分析結果に従って、煙又は有機揮発性ガスの濃度が対応する濃度閾値より大きい場合、オーディオ処理ユニットを介してスピーカを、警報を発するようにトリガするために更に使用される。
【０００７】
実施形態では、デバイスは通信ユニットを更に備え、
制御ユニットは、報告情報を通信ユニットに送信するために更に使用され、報告情報はリアルタイムで収集されるビデオ情報及びオーディオ情報と制御ユニットによって受信される分析結果とを備え、
通信ユニットは制御ユニットから送信される報告情報を監視センタに送信するために使用される。実施形態では、デバイスは位置ユニットを更に備え、
位置ユニットは現在の位置情報を所定の時間間隔で制御ユニットに送信するために使用され、
報告情報は位置ユニットによって提供される現在の位置情報を更に備える。
【０００８】
実施形態では、制御ユニットは、監視センタから送信される遠隔警報情報が通信ユニットによって受信されると、オーディオ処理ユニットを介してスピーカを、警報を発するようにトリガするために更に使用される。
【０００９】
実施形態では、制御ユニットは、監視センタから送信される音声情報が通信ユニットを介して受信されると、オーディオ処理ユニットを介してスピーカを、放送するようにトリガするために更に使用される。
【００１０】
実施形態では、デバイスは警報ボタンを更に備え、
警報ボタンは、警報トリガ情報をトリガ・イベントとして制御ユニットに送信するために使用され、
制御ユニットは、警報トリガ情報が検出されると、オーディオ処理ユニットを介してスピーカを、警報を発するようにトリガするために更に使用される。
【００１１】
実施形態では、デバイスは警告灯を更に備え、
制御ユニットは、スピーカが警報を発するようにオーディオ処理ユニットを介してトリガされると、警告灯を点滅するように特にトリガする。
【００１２】
実施形態では、デバイスは記憶ユニットを更に備え、
制御ユニットによって、スピーカが警報を発するようにオーディオ処理ユニットを介してトリガされている期間の間に、リアルタイムでビデオ・キャプチャ・ユニットによって収集されるビデオ情報を記憶ユニットに格納すること。
【００１３】
実施形態では、カメラは、第１のカメラと暗視機能を有する第２のカメラとを備え、制御ユニットは、デバイスが起動されると、カメラを介してビデオ情報を収集するようにビデオ・キャプチャ・ユニットをトリガし、
オーディオ／ビデオ分析ユニットは、ビデオ情報に従って、現在の環境光強度が所定の光強度閾値より大きいかどうかを特に判断し、
制御ユニットは、オーディオ／ビデオ分析ユニットから送信される分析結果に従って、現在の環境光強度が所定の光強度閾値より大きい場合、第１のカメラを介してビデオ情報を収集するようにビデオ・キャプチャ・ユニットをトリガし、現在の環境光強度が所定の光強度閾値より大きくない場合、第２のカメラを介してビデオ情報を収集するようにビデオ・キャプチャ・ユニットをトリガするために更に使用される。
【００１４】
実施形態では、デバイスは赤外光補足ランプを更に備え、制御ユニットは、デバイスが起動されると、赤外光補足ランプをオフにするようにトリガし、
オーディオ／ビデオ分析ユニットは、ビデオ情報に従って、現在の環境光強度が所定の光強度閾値より大きいかどうかを特に判断し、
制御ユニットは、オーディオ／ビデオ分析ユニットから送信される分析結果に従って、現在の環境光強度が所定の光強度閾値より大きい場合、赤外光補足ランプをオフにするようにトリガし、現在の環境光強度が所定の光強度閾値より大きくない場合、カメラに対して光を補足するために赤外光補足ランプをオンにするようにトリガするために更に使用される。
【００１５】
本発明の別の態様によれば、
ビデオ・キャプチャ・ユニットにより、リアルタイムで、第１のカメラと暗視機能を有する第２のカメラとを備えるカメラを使用してビデオ情報を収集することと、
オーディオ処理ユニットにより、リアルタイムでピックアップを使用してオーディオ情報を収集することと、
オーディオ／ビデオ分析ユニットにより、リアルタイムで収集される前記ビデオ情報及び前記オーディオ情報について認識分析を実行すること及び分析結果を制御ユニットに送信することと、
前記オーディオ／ビデオ分析ユニットから送信される前記分析結果に従って、対応する閾値より大きい監視値が、リアルタイムで収集される前記ビデオ情報又は前記オーディオ情報に存在する場合、前記制御ユニットにより、前記オーディオ処理ユニットを介してスピーカを、警報を発するようにトリガすることとを備えるインテリジェント監視方法であって、
前記認識分析は、前記ビデオ情報に従って、現在の環境光強度が所定の光強度閾値より大きいかどうかを判断することを更に備え、
前記方法は
臭気分析ユニットにより、リアルタイムで臭気センサによって収集される臭気情報について検出分析を実行すること及び分析結果を前記制御ユニットに送信することと、
前記臭気分析ユニットの前記分析結果に従って、煙又は有機揮発性ガスの濃度が対応する濃度閾値より大きい場合、前記制御ユニットにより、前記オーディオ処理ユニットを介して前記スピーカを、警報を発するようにトリガすることと、を更に備え、
前記制御ユニットは、デバイスが起動されると、前記第１のカメラを介して前記ビデオ情報を収集するように前記ビデオ・キャプチャ・ユニットをトリガし、
前記制御ユニットは、前記オーディオ／ビデオ分析ユニットから送信される前記分析結果に従って、前記現在の環境光強度が前記所定の光強度閾値より大きい場合、前記第１のカメラを介して前記ビデオ情報を収集するように前記ビデオ・キャプチャ・ユニットをトリガし、前記現在の環境光強度が前記所定の光強度閾値より大きくない場合、前記第２のカメラを介して前記ビデオ情報を収集するように前記ビデオ・キャプチャ・ユニットをトリガするために更に使用される、ことを特徴とする方法が提供される。
【００１６】
実施形態では、臭気分析ユニットは、リアルタイムで臭気センサによって収集される臭気情報について検出分析を実行し、その分析結果を制御ユニットに送信するために使用され、
臭気分析ユニットの分析結果に従って、煙又は有機揮発性ガスの濃度が対応する濃度閾値より大きい場合、制御ユニットはオーディオ処理ユニットを介してスピーカを、警報を発するようにトリガする。
【００１７】
実施形態では、制御ユニットは報告情報を通信ユニットに送信し、報告情報はリアルタイムで収集されるビデオ情報及びオーディオ情報と制御ユニットによって受信される分析結果とを備える。
【００１８】
実施形態では、報告情報は位置ユニットによって提供される現在の位置情報を更に備える。
【００１９】
実施形態では、制御ユニットは、監視センタから送信される遠隔警報情報が通信ユニットを介して受信されると、オーディオ処理ユニットを介してスピーカを、警報を発するようにトリガするために更に使用される。
【００２０】
実施形態では、制御ユニットは、監視センタから送信される音声情報が通信ユニットを介して受信されると、オーディオ処理ユニットを介してスピーカを、放送するようにトリガする。
【００２１】
実施形態では、制御ユニットは、警報ボタンがトリガされるのが検出されると、オーディオ処理ユニットを介してスピーカを、警報を発するようにトリガする。
【００２２】
実施形態では、制御ユニットは、スピーカが警報を発するようにオーディオ処理ユニットを介してトリガされると、警告灯を点滅するようにトリガする。
【００２３】
実施形態では、制御ユニットは、スピーカが警報を発するようにオーディオ処理ユニットを介してトリガされている期間の間に、リアルタイムでビデオ・キャプチャ・ユニットによって収集されるビデオ情報を記憶ユニットに格納する。
【００２４】
実施形態では、カメラは第１のカメラと、暗視機能を有する第２のカメラとを備え、制御ユニットは、デバイスが起動されると、第１のカメラを介してビデオ情報を収集するようにビデオ・キャプチャ・ユニットをトリガし、
認識分析は、現在の環境光強度が所定の光強度閾値より大きいかどうかを判断することを更に備え、
オーディオ／ビデオ分析ユニットから送信される分析結果に従って、制御ユニットは、現在の環境光強度が所定の光強度閾値より大きい場合、第１のカメラを介してビデオ情報を収集するようにビデオ・キャプチャ・ユニットを更にトリガし、
現在の環境光強度が所定の光強度閾値より大きくない場合、第２のカメラを介してビデオ情報を収集するようにビデオ・キャプチャ・ユニットをトリガする。
【００２５】
実施形態では、認識分析は、現在の環境光強度が所定の光強度閾値より大きいかどうかを判断することを更に備え、
オーディオ／ビデオ分析ユニットから送信される分析結果に従って、制御ユニットは、現在の環境光強度が所定の光強度閾値より大きい場合、赤外光補足ランプをオフにするように更にトリガし、
現在の環境光強度が所定の光強度閾値より大きくない場合、カメラに対して光を補足するために赤外光補足ランプをオンにするようにトリガし、
ここで、制御ユニットは、デバイスが起動されると、赤外光補足ランプをオフにするようにトリガする。
【００２６】
本発明によれば、現場環境を様々な面からリアルタイムで監視することによって、警備部門が、公共の安全を危うくする状況に対処するために早期の処置を効果的に取り、重大な事故の発生を防止することができるように、公共の場所における状況を包括的に監視することは好都合である。
【００２７】
本発明の更なる理解を提供するために含まれ、且つ本明細書に組み込まれて本明細書の一部を構成する添付の図面は、本発明の実施形態を示し、且つその説明と共に、本発明の原理を説明するのに役立つが、本発明を限定するものではない。
【図面の簡単な説明】
【００２８】
【図１】本発明のインテリジェント監視デバイスの実施形態の概略図である。
【図２】本発明のインテリジェント監視デバイスの別の実施形態の概略図である。
【図３】本発明のインテリジェント監視デバイスの更に別の実施形態の概略図である。
【図４】本発明のインテリジェント監視デバイスの更に別の実施形態の概略図である。
【図５】本発明のインテリジェント監視方法の実施形態の概略図である。
【図６】本発明のインテリジェント監視デバイスの更に別の実施形態の概略図である。
【発明を実施するための形態】
【００２９】
以下に、本発明の技術的解決策を、添付の図面及び実施形態を参照して詳細に更に説明する。
【００３０】
図１は本発明のインテリジェント監視方法の実施形態の概略図である。図１に示すように、インテリジェント監視デバイスは、カメラ１と、ビデオ・キャプチャ・ユニット２と、オーディオ処理ユニット３と、ピックアップ４と、オーディオ／ビデオ分析ユニット５と、制御ユニット６と、スピーカ７とを備える。ここで
ビデオ・キャプチャ・ユニット２はリアルタイムでカメラ１を使用してビデオ情報を収集するために使用される。
【００３１】
好ましくは、ビデオ・キャプチャ・ユニット２は、ＣＭＯＳ（相補型金属酸化物半導体：Ｃｏｍｐｌｅｍｅｎｔａｒｙ  Ｍｅｔａｌ−Ｏｘｉｄｅ  Ｓｅｍｉｃｏｎｄｕｃｔｏｒ）又はＣＣＤ（電荷結合素子：Ｃｈａｒｇｅ  Ｃｏｕｐｌｅｄ  Ｄｅｖｉｃｅ）画像センサとすることができる。ビデオ・キャプチャ・ユニット２は、ＲＡＷフォーマットでリアルタイムに収集されるビデオ・データを、ＭＩＰ（モバイル産業プロセッサ・インタフェース：Ｍｏｂｉｌｅ  Ｉｎｄｕｓｔｒｙ  Ｐｒｏｃｅｓｓｏｒ  Ｉｎｔｅｒｆａｃｅ）インタフェースを介してオーディオ／ビデオ分析ユニット５に送信することができる。
【００３２】
オーディオ処理ユニット３はリアルタイムでピックアップ４を使用してオーディオ情報を収集するために使用される。
【００３３】
好ましくは、オーディオ処理ユニット３はオーディオ・コーデックとすることができる。例えば、オーディオ処理ユニット３は、ＡＤＰＣＭ（適応的差分パルス符号変調：Ａｄａｐｔｉｖｅ  Ｄｉｆｆｅｒｅｎｔｉａｌ  Ｐｕｌｓｅ  Ｃｏｄｅ  Ｍｏｄｕｌａｔｉｏｎ）オーディオ・データをオーディオ／ビデオ分析ユニット５に送信するために、（ピックアップに対する）ＬＩＮＥ  ＩＮオーディオ・サンプリング・インタフェース及び（スピーカに対する）ＳＰＥＡＫ  ＯＵＴオーディオ出力インタフェースを有するオーディオ・チップを用いて実装することができる。
【００３４】
オーディオ／ビデオ分析ユニット５は、リアルタイムで収集されるビデオ情報及びオーディオ情報について認識分析を実行し、その分析結果を制御ユニット６に送信するために使用される。
【００３５】
好ましくは、オーディオ／ビデオ分析ユニット５は、特定のアルゴリズムに従ってビデオの特徴、挙動、オーディオ・デシベル・レベル、及びコンテンツを認識するために、ＤＳＰ（デジタル信号プロセッサ：Ｄｉｇｉｔａｌ  Ｓｉｇｎａｌ  Ｐｒｏｃｅｓｓｏｒ）を用いて実装することができる。
【００３６】
当業者は認識のための特定の実装方法を知っているので、本明細書では詳細な説明を提供しない。
【００３７】
制御ユニット６は、オーディオ／ビデオ分析ユニット５から送信される分析結果に従って、対応する閾値より大きい監視値がリアルタイムで収集されるビデオ情報又はオーディオ情報に存在する場合、オーディオ処理ユニット３を介してスピーカ７を、警報を発するようにトリガするために使用される。
【００３８】
本発明の実施形態に提供されるインテリジェント監視デバイスに基づいて、現場環境を様々な面からリアルタイムで監視することによって、警備部門が、公共の安全を危うくする状況に対処するために早期の処置を効果的に取り、重大な事故の発生を防止することができるように、公共の場所における状況を包括的に監視することは好都合である。
【００３９】
図２は本発明のインテリジェント監視デバイスの別の実施形態の概略図である。図１に示す実施形態と比較して、図２に示す実施形態は、臭気センサ８と臭気分析ユニット９とを更に備え、
臭気分析ユニット９は、リアルタイムで臭気センサ８によって収集される臭気情報について検出分析を実行し、その分析結果を制御ユニット６に送信するために使用される。
【００４０】
制御ユニット６は、臭気分析ユニット９の分析結果に従って、煙又は有機揮発性ガスの濃度が対応する濃度閾値より大きい場合、オーディオ処理ユニットを介してスピーカを、警報を発するようにトリガするために更に使用される。
【００４１】
好ましくは、臭気センサ８は、セラミック・ヒータ上にナノ・スケールの半導体材料ＳｎＯ２を被覆し、タバコ、木材、紙などの燃焼によって発生するアルコール、アンモニア、水素、一酸化炭素、メタン、プロパン、スチレン、プロピレングリコール、フェノール、メチルベンゼン、エチルベンゼン、ジメチルベンゼン、ホルムアルデヒドのような煙又は有機揮発性ガスに敏感な適量の微量元素をドーピングすることによって形成される間接的に加熱された半導体ガス感応素子とすることができる。臭気分析ユニット９はＲＳ２３２インタフェースを介して制御ユニット６に接続される。
【００４２】
臭気検出及び臭気分析を行うことによって、公共の場所における状況を更に包括的な形で監視することができる。
【００４３】
実施形態では、図２に示すように、インテリジェント監視デバイスは通信ユニット１０を更に備える。ここで、
制御ユニット６は、報告情報を通信ユニット１０に送信するために更に使用され、報告情報はリアルタイムで収集されるビデオ情報及びオーディオ情報と制御ユニットによって受信される分析結果とを備える。
【００４４】
通信ユニット１０は制御ユニット６から送信される報告情報を監視センタに送信するために使用される。伝送は、３Ｇ、４Ｇ、ＷｉＦｉ、又はイーサネット（登録商標）・ネットワーク上で行うことができる。
【００４５】
従って、監視センタはネットワークを介してタイムリーに様々な現在の情報を知ることができる。
【００４６】
実施形態では、図２に示すように、インテリジェント監視デバイスは位置ユニット１２を更に備える。ここで、
位置ユニット１２は所定の時間間隔で現在の位置情報を制御ユニット６に送信するために使用される。報告情報は位置ユニットによって提供される現在の位置情報を更に備える。それによって、監視センタは、インテリジェント監視デバイスの現在の位置を迅速に知ることができる。
【００４７】
位置ユニット１２はＧＰＳ（全地球測位システム：Ｇｌｏｂａｌ  Ｐｏｓｉｔｉｏｎｉｎｇ  Ｓｙｓｔｅｍ）、Ｂｅｉｄｏｕ、又は他の測位システムを使用してその測位演算を実行することができる。
【００４８】
実施形態では、図２に示すように、インテリジェント監視デバイスは警報ボタン１１を更に備え、ここで、
警報ボタン１１は、警報トリガ情報をトリガ・イベントとして制御ユニット６に送信するために使用される。
【００４９】
制御ユニット６は、警報トリガ情報が検出されると、オーディオ処理ユニット３を介してスピーカ７を、警報を発するようにトリガするために更に使用される。
【００５０】
このように、警報を手動で発することができる。
【００５１】
好ましくは、制御ユニット６は、監視センタから送信される遠隔警報情報が通信ユニット１０を介して受信されると、オーディオ処理ユニット３を介してスピーカ７を、警報を発するようにトリガするために更に使用される。
【００５２】
このように、監視センタは遠隔警報制御を実行することができる。
【００５３】
好ましくは、制御ユニット６は、監視センタから送信される音声情報が通信ユニット１０を介して受信されると、オーディオ処理ユニット３を介してスピーカ７を、放送するようにトリガするために更に使用される。このように、遠隔拡声を実現することができる。
【００５４】
実施形態では、図２に示すように、インテリジェント監視デバイスは警告灯を更に備える。ここで、
制御ユニット６は、スピーカ７が警報を発するようにオーディオ処理ユニット３を介してトリガされると、警告灯３を点滅するように特にトリガする。このように、オーディオ及び視覚的警報をそれぞれ発することができる。
【００５５】
実施形態では、図２に示すように、インテリジェント監視デバイスは記憶ユニット１４を更に備える。ここで、
制御ユニット６は、スピーカ７が警報を発するようにオーディオ処理ユニット３を介してトリガされている期間の間に、リアルタイムでビデオ・キャプチャ・ユニット２によって収集されるビデオ情報を記憶ユニット１４に格納する。このように、警報期間中の関連するビデオ情報を格納することができる。
【００５６】
記憶ユニット１４は不揮発性メモリとすることができるのが好ましい。
【００５７】
図３は本発明のインテリジェント監視デバイスの更に別の実施形態の概略図である。図２に示す実施形態と比較して、図３に示す実施形態では、２つのカメラ、第１のカメラ１０１及び第２のカメラ１０２、が存在し、第１のカメラ１０１は環境光がより強い場合に起動され、暗視機能を有する第２のカメラ１０２は環境光がより暗い場合に起動される。
【００５８】
好ましくは、制御ユニット６は、デバイスが起動されると、第１のカメラ１０１を介してビデオ情報を収集するようにビデオ・キャプチャ・ユニットをトリガする。その後、環境光状態に従って、動的調整を実行することができる。ここで、
オーディオ／ビデオ分析ユニット５は、ビデオ情報に従って、現在の環境光強度が所定の光強度閾値より大きいかどうかを特に判断し、
制御ユニット６は、オーディオ／ビデオ分析ユニット５から送信される分析結果に従って、現在の環境光強度が所定の光強度閾値より大きい場合、第１のカメラ１０１を介してビデオ情報を収集するようにビデオ・キャプチャ・ユニット２をトリガし、現在の環境光強度が所定の光強度閾値より大きくない場合、第２のカメラ１０２を介してビデオ情報を収集するようにビデオ・キャプチャ・ユニット２をトリガするために更に使用される。
【００５９】
図４は本発明のインテリジェント監視デバイスの更に別の実施形態の概略図である。図３に示す実施形態と比較して、図４に示す実施形態では、カメラ１に加えて、環境光がより暗い場合、カメラ１に対して光を補足するために起動される赤外光補足ランプ１５が設けられる。
【００６０】
好ましくは、制御ユニット６は、デバイスが起動されると、赤外光補足ランプ１５をオフにするようにトリガする。その後、環境光状態に従って、動的調整を実行することができる。ここで、
オーディオ／ビデオ分析ユニット５は、ビデオ情報に従って、現在の環境光強度が所定の光強度閾値より大きいかどうかを特に判断する。
【００６１】
制御ユニット６は、オーディオ／ビデオ分析ユニット５から送信される分析結果に従って、現在の環境光強度が所定の光強度閾値より大きい場合、赤外光補足ランプ１５をオフにするようにトリガし、現在の環境光強度が所定の光強度閾値より大きくない場合、カメラ１のために光を補足するために赤外光補足ランプ１５をオンにするようにトリガするために更に使用される。
【００６２】
図５は本発明のインテリジェント監視方法の実施形態の概略図である。この実施形態のステップはインテリジェント監視デバイスによって実行できることが好ましい。
【００６３】
ステップ５０１において、ビデオ・キャプチャ・ユニットはカメラを使用してリアルタイムでビデオ情報を収集し、オーディオ処理ユニットはピックアップを使用してリアルタイムでオーディオ情報を収集する。
【００６４】
ビデオ・キャプチャ・ユニット及びオーディオ処理ユニットは、それぞれ、リアルタイムで収集される情報をオーディオ／ビデオ分析ユニットに提供する。
【００６５】
ステップ５０２において、オーディオ／ビデオ分析ユニットは、リアルタイムで収集されるビデオ情報及びオーディオ情報について認識分析を実行し、分析結果を制御ユニットに送信する。
【００６６】
ステップ５０３において、オーディオ／ビデオ分析ユニットから送信される分析結果に従って、対応する閾値より大きい監視値が、リアルタイムで収集されるビデオ情報又はオーディオ情報に存在する場合、制御ユニットは、オーディオ処理ユニットを介してスピーカを、警報を発するようにトリガする。
【００６７】
本発明の実施形態に提供されるインテリジェント監視方法に基づいて、様々な面からリアルタイムで現場環境を監視することによって、警備部門が、公共の安全を危うくする状況に対処するために早期の処置を効果的に取り、重大な事故の発生を防止することができるように、公共の場所における状況を包括的に監視することは好都合である。
【００６８】
好ましくは、インテリジェント監視デバイスは臭気分析ユニット及び臭気センサを更に備え、ここで
臭気分析ユニットは、リアルタイムで臭気センサによって収集される臭気情報について検出分析を実行し、その分析結果を制御ユニットに送信するために使用される。臭気分析ユニットの分析結果に従って、煙又は有機揮発性ガスの濃度が対応する濃度閾値より大きい場合、制御ユニットはオーディオ処理ユニットを介してスピーカを、警報を発するようにトリガする。
【００６９】
実施形態では、制御ユニットは、通信ユニットを介して報告情報を監視センタに送信し、報告情報はリアルタイムで収集されるビデオ情報及びオーディオ情報と制御ユニットによって受信される分析結果とを備える。このように、監視センタはネットワークを介してタイムリーに様々な現在の情報を知ることができる。
【００７０】
好ましくは、報告情報は位置ユニットによって提供される現在の位置情報を更に備える。それによって、監視センタは、インテリジェント監視デバイスの現在の位置を迅速に知ることができる。
【００７１】
実施形態では、制御ユニットは、監視センタから送信される遠隔警報情報が通信ユニットを介して受信されると、オーディオ処理ユニットを介してスピーカを、警報を発するようにトリガする。このように、監視センタは遠隔警報制御を実行することができる。
【００７２】
好ましくは、制御ユニットは、監視センタから送信される音声情報が通信ユニットを介して受信されると、オーディオ処理ユニットを介してスピーカを、放送するようにトリガする。このように、遠隔拡声を実現できる。
【００７３】
実施形態では、制御ユニットは、警報ボタンがトリガされるのが検出されると、オーディオ処理ユニットを介してスピーカを、警報を発するようにトリガする。このように、警報を手動で発することができる。
【００７４】
実施形態では、制御ユニットは、スピーカが警報を発するようにオーディオ処理ユニットを介してトリガされると、警告灯を点滅するようにトリガする。このように、視覚的警報を更に提供することができる。
【００７５】
実施形態では、制御ユニットは、スピーカが警報を発するようにオーディオ処理ユニットを介してトリガされている期間の間に、リアルタイムでビデオ・キャプチャ・ユニットによって収集されるビデオ情報を記憶ユニットに格納する。このように、警報期間中に収集される関連するビデオ情報を格納することができる。
【００７６】
実施形態では、ビデオ・キャプチャ・ユニット用に提供される２つのカメラが存在し、第１のカメラは環境光がより強い場合に起動され、暗視機能を有する第２のカメラは環境光がより暗い場合に起動される。例えば、制御ユニットは、デバイスが起動されると、第１のカメラを介してビデオ情報を収集するようにビデオ・キャプチャ・ユニットをトリガすることができる。第１のカメラと第２のカメラとの間の切り替え操作は、
リアルタイムで収集されるビデオ情報及びオーディオ情報についてのオーディオ／ビデオ分析ユニットによる認識分析を実行することと、ビデオ情報に従って、現在の環境光強度が所定の光強度閾値より大きいかどうかを判断することとを備えることができる。オーディオ／ビデオ分析ユニットから送信される分析結果に従って、現在の環境光強度が所定の光強度閾値より大きい場合、制御ユニットは更に、第１のカメラを介してビデオ情報を収集するようにビデオ・キャプチャ・ユニットをトリガし、現在の環境光強度が所定の光強度閾値より大きくない場合、第２のカメラを介してビデオ情報を収集するようにビデオ・キャプチャ・ユニットをトリガする。
【００７７】
別の実施形態では、１つのカメラのみがビデオ・キャプチャ・ユニットに取り付けられ、赤外光補足ランプがインテリジェント監視デバイスに更に装備される。例えば、制御ユニットは、デバイスが起動されると、赤外光補足ランプをオフにするようにトリガすることができる。赤外光補足ランプの切り替え操作は次のステップを備えることができる。
リアルタイムで収集されるビデオ情報及びオーディオ情報についてのオーディオ／ビデオ分析ユニットによる認識分析を実行することと、ビデオ情報に従って、現在の環境光強度が所定の光強度閾値より大きいかどうかを判断すること。オーディオ／ビデオ分析ユニットから送信される分析結果に従って、制御ユニットは、現在の環境光強度が所定の光強度閾値より大きい場合、赤外光補足ランプをオフにするように更にトリガし、現在の環境光強度が所定の光強度閾値より大きくない場合、カメラに対して光を補足するために赤外光補足ランプをオンにするようにトリガする。
【００７８】
図６は本発明のインテリジェント監視デバイスの更に別の実施形態の概略図である。図６に示すように、インテリジェント監視デバイスは、筐体１６、カメラ１、スピーカ７、カメラ（又は赤外光補足ランプ）１５、臭気センサ８、ピックアップ４、及び警報ボタン１１を備える。カメラ１及びカメラ（又は赤外光補足ランプ）１５の両方はビデオ収集のために使用される。その違いは、カメラ１は環境光がより強い場合に起動され、カメラ１５は環境光がより暗い場合に起動されるということである。赤外光補足ランプを有する構成の場合、カメラ１は常に起動されている。赤外光補足ランプ１５は、光がより暗い場合、カメラ２に対して光を補足するために起動される。スピーカ７は警報を発する又は音を起こすために使用される。臭気センサ８は異常な臭気を検出するために使用される。臭気センサ８は、様々な種類の臭気の検出を容易にするために様々な種類のセンサを備えることができることに留意すべきである。
【００７９】
ピックアップ４は音の収集のために使用される。警報ボタン１１は警報を手動でトリガするために使用される。
【００８０】
本発明を用いて、早期警告を発することができるように人間の知覚をシミュレーションすることで現場環境のリアルタイム監視を実現でき、且つ音及び臭気を同時に監視するという要求を満たすことができない既存のインテリジェント監視カメラの問題を解決することができる。一方、デバイスには警報ボタンが設けられる。緊急事態が起きると、現場にいる人が警報ボタンを押下して、その事象に迅速に対応し解決するために監視センタに警報を発することができる。
【００８１】
本発明の上記の説明は、例示及び説明のために与えられているが、包括的ではなく、本発明を本明細書に開示されている形に限定することを意図するものではない。様々な変更及び変形が当業者にとって明らかである。実施形態は、当業者が本発明を理解し、特定の用途に適した様々な変更を有する様々な実施形態を想定することができるように、本発明の原理及び実際の適用のより良い解説のために選択され説明されている。
【図１】
0006531117.tif 000002
【図２】
0006531117.tif 000003
【図３】
0006531117.tif 000004
【図４】
0006531117.tif 000005
【図５】
0006531117.tif 000006
【図６】
0006531117.tif 000007